(57)【特許請求の範囲】
【請求項１】
認証を行う認証端末と、前記認証端末に認証を要求する被認証端末と、を備える認証システムにおける認証端末であって、
日時によって変化する、第一のデータと前記第一のデータの識別子とを提供する提供手段と、
前記第一のデータと前記第一のデータの識別子とを送信する送信手段と、
前記被認証端末から送信された第二のデータ及び第三のデータを受信する受信手段と、
受信した第二のデータ及び第三のデータを格納する格納手段と、
送信した第一のデータと格納した第二のデータとに基づいて、一意に決定される第三のデータを生成する生成手段と、
受信して格納した第三のデータと生成した第三のデータとを比較照合することにより認証判定を行う認証手段と、を備える
認証端末。
【請求項２】
認証を行う認証端末と、前記認証端末に認証を要求する被認証端末と、を備える認証システムにおける認証端末であって、
第一のデータを送信する送信手段と、
前記送信手段の送信タイミングを制御する送信制御手段と、
前記被認証端末から送信された第二のデータ及び第三のデータを受信する受信手段と、
受信した第二のデータ及び第三のデータを格納する格納手段と、
送信した第一のデータと格納した第二のデータとに基づいて、一意に決定される第三のデータを生成する生成手段と、
受信して格納した第三のデータと生成した第三のデータとを比較照合することにより認証判定を行う認証手段と、を備え、
前記送信制御手段は、常時送信、被認証端末接近時送信、時間制限による送信、被認証端末のユーザごとに異なる送信を行わせる
認証端末。
【請求項３】
請求項１又は請求項２に記載の認証端末であって、
前記第一のデータは、認証データであり、
前記第二のデータは、電子チケット購入証明書であり、
前記第三のデータは、認証キーである
認証端末。
【請求項４】
請求項１乃至請求項３のいずれか１項に記載の認証端末であって、
前記送信手段は、無線情報、光学情報及び音声情報の少なくともいずれか１つを含む情報を送信する
認証端末。
【請求項５】
第一のデータと前記第一のデータの識別子とを送信して認証を行う認証端末と、前記認証端末に認証を要求する被認証端末と、を備える認証システムにおける被認証端末であって、
前記認証端末から送信された第一のデータと前記第一のデータの識別子とを受信する受信手段と、
前記第一のデータの識別子に応じた第二のデータを生成し格納する生成格納手段と、
受信した第一のデータと格納している第二のデータとに基づいて、一意に決定される第三のデータを生成する生成手段と、
格納している第二のデータと生成した第三のデータとを前記認証端末に送信する送信手段と、を備える
被認証端末。
【請求項６】
請求項５に記載の被認証端末であって、
前記第一のデータは、認証データであり、
前記第二のデータは、電子チケット購入証明書であり、
前記第三のデータは、認証キーである
被認証端末。
【請求項７】
請求項５又は請求項６に記載の被認証端末であって、
前記生成格納手段の起動を制御する起動制御手段を備える被認証端末。
【請求項８】
請求項５又は請求項６に記載の被認証端末であって、
前記生成格納手段を取得する取得手段を備える
被認証端末。
【請求項９】
請求項８に記載の被認証端末であって、
前記取得手段は、ネットワークを介して前記生成格納手段を取得する
被認証端末。
【請求項１０】
請求項８に記載の被認証端末であって、
前記取得手段は、装着された記録媒体を介して前記生成格納手段を取得する
被認証端末。
【発明の詳細な説明】
【技術分野】
【０００１】
本発明は、情報端末と携帯端末、または複数の携帯認証端末で構成され、ピアツーピアの関係で認証を行う認証端末及び被認証端末に関する。
【背景技術】
【０００２】
アクセスポイントを必要とすることなく端末間で認証を行うシステムとして、従来、簡易的なネットワークを構築する無線通信認証システムが提案されている（例えば、特許文献１参照）。図１５は、従来の無線通信認証システムの構成を示す模式図である。この認証システムは、携帯端末が情報端末に対して認証を要求するものである。
【０００３】
この認証システムでは、始めに、情報端末５００から携帯端末６００に対して、認証情報が片方向送信される。認証情報の送信は、情報端末５００が表示した画像を携帯端末６００の撮像素子(カメラ)６２０で読み取るだけであるため、情報端末５００と携帯端末６００間での通信接続設定が不要である。一方、携帯端末６００から情報端末５００へ認証に関する情報を返信する際には、端末間で無線通信を行うための通信接続設定を相互に行う必要がある。このため、情報端末５００が携帯端末６００を特定することになる。通信接続設定後、通信リンクが確立した後に、携帯端末６００がカメラ撮影した画像を変換して作成した認証情報を情報端末５００へ送信する。以上の手順で認証が行われる。
【特許文献１】特開２００４−１７８１８７号公報（第３頁〜第７頁、図１）
【発明の開示】
【発明が解決しようとする課題】
【０００４】
しかしながら、上記従来の認証システムでは、端末間で認証するには、まず通信接続設定が必要であり、通信接続設定では互いの機器を認識する必要があるため、端末が特定されてしまう。すなわち、不特定な端末に対しては認証が行えないことになる。例えば、上記の場合、情報端末５００から携帯端末６００へは光学的な通信で認証情報を送信するので、撮像素子６２０で読み取るだけであり、端末間で通信設定が不要である。しかし、携帯端末６００から情報端末５００へは無線通信で認証情報を送信するので、携帯端末６００と情報端末５００間で通信接続設定が必要となり、その設定情報から携帯端末６００が特定されてしまう。
【０００５】
近年、個人情報の取り扱いに関する重要性が高まっており、携帯端末６００の使用者側としては不用意に端末が特定され、個人に係る情報が相手側に取得されることは避けたいというニーズがある。一方、情報端末５００の管理者側としても不必要な個人情報を取得することにより生じるリスクを低減したいというニーズがある。すなわち、高度情報通信社会の進展に伴い個人情報の利用が著しく拡大されるため、個人情報の有用性に配慮しつつ、個人の権利利益の保護が必要とされている。
【０００６】
本発明は、上記従来の事情に鑑みてなされたものであって、情報端末と携帯端末、または携帯認証端末同士など、端末間においてピアツーピアの関係で認証を行う際に、被認証端末を特定することなく匿名認証が行える認証端末及び被認証端末を提供することを目的とする。
【課題を解決するための手段】
【０００７】
本発明の認証端末は、認証を行う認証端末と、前記認証端末に認証を要求する被認証端末と、を備える認証システムにおける認証端末であって、日時によって変化する、第一のデータと前記第一のデータの識別子とを提供する提供手段と、前記第一のデータと前記第一のデータの識別子とを送信する送信手段と、前記被認証端末から送信された第二のデータ及び第三のデータを受信する受信手段と、受信した第二のデータ及び第三のデータを格納する格納手段と、送信した第一のデータと格納した第二のデータとに基づいて、一意に決定される第三のデータを生成する生成手段と、受信して格納した第三のデータと生成した第三のデータとを比較照合することにより認証判定を行う認証手段と、を備える。
【０００８】
また、本発明の認証端末は、認証を行う認証端末と、前記認証端末に認証を要求する被認証端末と、を備える認証システムにおける認証端末であって、第一のデータを送信する送信手段と、前記送信手段の送信タイミングを制御する送信制御手段と、前記被認証端末から送信された第二のデータ及び第三のデータを受信する受信手段と、受信した第二のデータ及び第三のデータを格納する格納手段と、送信した第一のデータと格納した第二のデータとに基づいて、一意に決定される第三のデータを生成する生成手段と、受信して格納した第三のデータと生成した第三のデータとを比較照合することにより認証判定を行う認証手段と、を備え、前記送信制御手段は、常時送信、被認証端末接近時送信、時間制限による送信、被認証端末のユーザごとに異なる送信を行わせる。
【０００９】
また、本発明の被認証端末は、第一のデータと前記第一のデータの識別子とを送信して認証を行う認証端末と、前記認証端末に認証を要求する被認証端末と、を備える認証システムにおける被認証端末であって、前記認証端末から送信された第一のデータと前記第一のデータの識別子とを受信する受信手段と、前記第一のデータの識別子に応じた第二のデータを生成し格納する生成格納手段と、受信した第一のデータと格納している第二のデータとに基づいて、一意に決定される第三のデータを生成する生成手段と、格納している第二のデータと生成した第三のデータとを前記認証端末に送信する送信手段と、を備える。
【発明の効果】
【００１８】
本発明によれば、被認証端末が、受信した第一のデータと格納している第二のデータとに基づいて生成した第三のデータを用いて、認証端末に認証を要求することにより、認証端末から送信される第一のデータの受信、及び、認証端末への第二のデータ及び第三のデータの送信において、被認証端末を特定する情報（端末情報、ユーザ情報）は不要であり、被認証端末と認証端末との間で通信接続設定情報をやりとりする必要がない為、端末間においてピアツーピアの関係で認証を行う際に、被認証端末を特定することなく匿名認証を行うことができる。
【発明を実施するための最良の形態】
【００１９】
以下、本発明の実施形態の認証システムと、認証システムを構成する情報端末、携帯端末、携帯認証端末について、図面を用いて説明する。
【００２０】
［実施の形態１］
はじめに、本発明の実施の形態１における認証システムについて説明する。図１は、本発明の実施の形態１における認証システムのシステム構成を示す図である。認証システムは、認証を行う情報端末１００（認証端末）と、情報端末１００に対して認証を要求する携帯端末２００（被認証端末）で構成される。
【００２１】
次に、上記構成の認証システムの概要について説明する。尚、以下では、情報端末１００から携帯端末２００への通信方向で送信する信号を下り信号、携帯端末２００から情報端末１００への通信方向で送信する信号を上り信号と定義する。
【００２２】
本発明の実施の形態１における認証システムでは、携帯端末２００と情報端末１００の間で認証を行う場合、携帯端末２００が特定されない匿名認証が可能である。はじめに、情報端末１００からは、下り信号として認証情報（認証データ、第一のデータ）が送信され、これを携帯端末２００が受信する。携帯端末２００は、情報端末１００からの下り信号を受信するのみなので、端末間で通信接続設定を行う必要がなく、従って、携帯端末２００が特定されることはない。
【００２３】
一方、携帯端末２００は、あらかじめ取得した電子チケット購入証明書(パターンデータ、第二のデータ)を用いて、受信した認証情報を変換することにより、認証キー(パスワード、第三のデータ)を生成する。尚、携帯端末２００は、受信した認証情報からパターンデータを生成するわけではない。また、変換は、携帯端末２００の固有情報(ユーザ情報)に依存せずに実行されるため、携帯端末２００を特定する情報が含まれることはない。その後、暗号化したパターンデータと生成したパスワードは、上り信号として携帯端末２００から情報端末１００へ送信される。この際も、通信接続設定情報を端末間でやり取りする必要がない。
【００２４】
情報端末１００は、受信した上り信号からパターンデータを抽出して復元（復号化）する。そして、このパターンデータを用いて、携帯端末２００に送信した認証データを変換することにより認証キー（パスワード）を生成する。情報端末１００は、生成したパスワードと上り信号に含まれるパスワードとを照合することにより認証を行う。
【００２５】
以上のように、携帯端末２００からの上り信号が片方向で済み、個人情報を含まないため、携帯端末２００を特定することなく、端末間で認証を行うことができる。ただし、後述する情報変換部及び電子チケット購入証明書格納部を持たない携帯端末では認証を行うことができない。
【００２６】
次に、本発明の実施の形態１における認証システムを構成する情報端末１００の詳細な内部構成について説明する。図２は、本発明の実施の形態１における認証システムの、情報端末の内部構成を示すブロック図である。
【００２７】
情報端末１００は、情報受信部１１０、メモリ１２０、電子チケット購入証明書復号部１３０、情報変換部１４０、情報提供部１５０、認証部１６０、情報送信部１７０、送信制御部１８０を備える。
【００２８】
情報受信部１１０は、携帯端末２００から送信される上り信号を受信する。この上り信号は、認証キー(パスワード)、電子チケット購入証明書(パターンデータ)、および認証データ識別子を含む。受信手段としては、ＲＦＩＤ、無線ＬＡＮ、赤外線、Ｂｌｕｅｔｏｏｔｈ等の近距離無線通信方式を含む無線を受信できる無線手段、または光学情報を受信するカメラ等の撮像手段、音声情報を受信するマイク等などが適用可能である。尚、上り信号に含まれる電子チケット購入証明書(パターンデータ)は、公知の手法により暗号化されている。
【００２９】
メモリ１２０は、受信した上り信号情報を格納する。電子チケット購入証明書復号部１３０は、メモリ１２０に格納された上り信号情報から電子チケット購入証明書（パターンデータ）を抽出し、暗号化されているパターンデータを復号化する。情報変換部１４０は、電子チケット購入証明書復号部１３０で復号されたパターンデータを用いて、後述する情報提供部１５０から提供される認証データを変換することにより、認証キー（パスワード）を生成する。この際、情報提供部１５０から提供される認証データは、メモリ１２０に格納されている上り信号情報の認証データ識別子と合致する認証データである。
【００３０】
情報提供部１５０は、情報変換部１４０や後述する情報送信部１７０へ認証データおよび認証データ識別子を提供する。認証部１６０は、情報変換部１４０で生成したパスワードと携帯端末２００から受信したパスワードとを比較照合して認証判定を行う。認証に成功すると、認証後の処理へ移行する。また、情報送信部１７０は、情報提供部１５０から提供される認証データや認証データ識別子を携帯端末２００へ送信する。送信制御部１８０は、情報送信部１７０の情報送信に関する制御を行う。
【００３１】
情報端末１００は、認証データおよび認証データ識別子を携帯端末２００へ送信することが可能であり、認証を必要とする場所に設置される。認証データ及び認証データ識別子は、外部から読み取られてもかまわないためブロードキャスト送信が可能である。従って、情報送信部１７０の送信手段としては、ＲＦＩＤ、無線ＬＡＮ、赤外線、Ｂｌｕｅｔｏｏｔｈ等近距離無線通信方式を含むブロードキャストできる無線手段、または光学情報や音声情報による通信手段などが適用可能である。
【００３２】
一方、送信タイミングは、常時送信する、携帯端末接近時または利用時間内のみ送信する、などの設定が可能である。または、ユーザ毎に送信タイミングを変更することも可能である。この送信タイミングは送信制御部１８０で制御される。
【００３３】
次に、本発明の実施の形態１における認証システムを構成する携帯端末２００の詳細な内部構成について説明する。図３は、本発明の実施の形態１における認証システムの、携帯端末の内部構成を示すブロック図である。
【００３４】
携帯端末２００は、情報受信部２１０、メモリ２２０、電子チケット購入証明書格納部２３０、情報変換部２４０、情報送信部２５０を備える。
【００３５】
情報受信部２１０は、情報端末１００から下り信号として送信される認証情報を受信する。メモリ２２０は、受信した下り信号情報を格納する。電子チケット購入証明書格納部２３０は、端末に依存することなく、購入した電子チケットに依存して変化する電子チケット購入証明書（パターンデータ）を生成、格納する。
【００３６】
情報変換部２４０は、情報端末１００から受信した下り信号のヘッダ部から、認証を行うサービス種別・カテゴリー情報と送信した情報端末固有情報を認識する。また、同じく下り信号の情報部から認証データを読み出し、電子チケット購入証明書格納部２３０が格納する電子チケット購入証明書(パターンデータ)を用いて、認証データを変換する（暗号化する）ことにより、認証キー(パスワード)を生成する。この認証キー(パスワード)は、認証データに対して一意に決定されるものである。
【００３７】
情報送信部２５０は、パスワード、パターンデータ、認証データ識別子を情報端末１００へ送信する。情報送信部２５０では、これらの認証情報の送信をユニキャストで行う。尚、パターンデータは、送信時に公知の手法により暗号化される。送信手段としては、ＲＦＩＤ、無線ＬＡＮ、赤外線、Ｂｌｕｅｔｏｏｔｈ等の近距離無線通信方式を含む無線を送信できる無線手段、または光学情報として出力する光学情報出力手段、音声情報として出力する音声情報出力手段などが適用可能である。
【００３８】
例えば、光学情報を出力する場合、携帯端末の表示装置の画面上に表示してもよい。携帯端末の画面に表示するデータとしては、文字、静止画、動画であってもよく、固定パターンまたは可変パターンまたはランダムパターン、繰り返しパターンを表示することが可能である。また、単数・複数の種類や、画面光量を変化させるようにしてもよい。
【００３９】
また、音声情報を出力する場合、固定パターンまたは可変パターンまたはランダムパターン、繰り返しパターンを音声出力することが可能である。また、複数音声の重奏や、音量を変化させるようにしてもよい。
【００４０】
携帯端末２００が行う通信は、情報端末１００に対して、基地局を介さず直接相互機器間のみで行うアドホック通信である。携帯端末２００と情報端末１００は、１対１のいわゆるピアツーピアの関係で認証を行う。
【００４１】
尚、送信情報は、外部から読み取られたとしても問題ない。認証情報及び電子チケット購入証明書(パターンデータ)は、時間またはユーザにより変化するため、他のユーザが同一のパターンデータで認証を行うことはできないからである。
【００４２】
ここで、電子チケット購入証明書格納部２３０の入手経路について説明する。電子チケット購入証明書格納部２３０は、認証を必要とする携帯端末に搭載する必要があるが、様々な入手方法が実現可能である。例えば、携帯端末２００の販売時などに、電子チケット購入証明書格納部２３０を端末内部にあらかじめ搭載しておき、必要な鍵(キー)やパスワード情報、生体認証情報、位置情報、時間情報、音声情報などを取得して認証を行うことで利用可能とする方式が考えられる。
【００４３】
また、無線通信、近距離無線通信、有線通信、ネットワークなど外部からダウンロードしたり、メモリカード（ＳＩＭカードなどを含む）を装着して機能を追加したりすることで利用可能とする方式も可能である。図４は、電子チケット購入証明書格納部２３０の入手経路を説明するための図である。図では、携帯端末２００内の公衆電話網通信手段２６０を介して、外部の無線通信手段３００から送信された電子チケット購入証明書格納部２３０を取得する経路を示している。また、同様に情報送受信手段２７０（図３の情報受信部２１０と情報送信部２５０に相当）を介して外部から取得する経路や、外部入力手段４００で入力が行われたメモリカード２８０の装着を介して取得する経路も示している。
【００４４】
尚、図中の認証部２９０は、取得した（またはあらかじめ搭載されていた）電子チケット購入証明書格納部２３０の機能を有効にするための認証を行う、すなわち、電子チケット購入証明書格納部２３０の起動を制御する。この認証は、パスワードまたは鍵(キー)、生体認証、位置情報、時間情報、音声情報などに基づいて行われる。
【００４５】
携帯端末２００で利用される認証機能は、利用する位置(場所)を制限してもよく、利用時間を制限してもよい。更に、携帯端末の接近時や利用時のみ有効としたり、有効期限を設定したりしてもよい。尚、電子チケット購入証明書格納部２３０で生成するパターンデータは端末に依存しない。
【００４６】
次に、上記の認証システムの認証動作、即ち、情報端末１００と携帯端末２００の間で行われる匿名認証動作について説明する。
【００４７】
図５は、本発明の実施の形態１における認証システムの適用例を模式的に示す図である。例えば、入場ゲート付近に情報端末１００が設置され、認証によって携帯端末２００のユーザが通過を許可される場合について説明する。
【００４８】
図６は、本発明の実施の形態１における認証システムの匿名認証動作手順を示すフローチャート(流れ図)である。はじめに、情報端末１００は、情報提供部１５０で認証用の認証データを生成し、情報送信部１７０から送信する（ステップＳ１０１）。ここで、図７は、携帯端末向け送信データ（下り信号）のデータ構造を概念的に示す図である。送信データは、ヘッダ部と情報部で構成される。ヘッダ部は、認証を行うサービス・カテゴリーが識別可能な情報送信データ識別子と、情報端末１００の固有情報が識別可能な装置固有識別子を含む。情報部は、認証に使用するための認証データ識別子と、認証データを含む。情報端末が複数台存在する場合には、情報端末毎に装置固有識別子が異なる。
【００４９】
また、図８及び図９は、情報提供部１５０が提供する認証データ識別子と認証データパターンの一例を概念的に示す図である。図中のＤａｔａ及びＴｉｍｅは、情報端末１００の内部タイミングを用いる。認証データ識別子は、Ｄａｔａ情報やＴｉｍｅ情報に関係なく、認証データ識別子Ｎｏの範囲内でランダムに設定される。また、Ｄａｔａが異なれば、例えば、Ｔｉｍｅ１やＴｉｍｅ２が同じでも、認証データ識別子は異なる。
【００５０】
図８及び図９では、情報端末＃０と情報端末＃１の２つの情報端末がそれぞれ生成するデータの例を挙げているが、情報端末毎に認証データ識別子Ｎｏの範囲が異なるため、それぞれの認証データは異なるものとなる。
【００５１】
送信タイミングは、送信制御部１８０で制御され、常時送信する、携帯端末接近時または利用時間内のみ送信する、などの設定が可能である。または、ユーザ毎に送信タイミングを変更することも可能である。尚、ユーザ認識は、前ユーザの認証が完了するごとに、次ユーザの認証情報を作成して送信するように設定してもよい。
【００５２】
次に、携帯端末２００のユーザが携帯端末２００を情報端末１００に接近させると、携帯端末２００の情報受信部２１０が情報端末から送信される認証データを取得し（ステップＳ１０２）、メモリ２２０に格納する（ステップＳ１０３）。尚、下り信号をブロードキャストにより予め送信しておくことで、ユーザは、情報端末１００に接近する前に下り信号を受信することも可能である。また、受信開始、受信中、受信完了などの状態は、携帯端末２００及び情報端末１００の画面表示や音声出力などで報知して、ユーザが認識できるようすることが好ましい。
【００５３】
ところで、携帯端末２００のユーザは、認証情報を変換するために必要な電子チケット購入証明書（パターンデータ）格納部２３０を、前述の経路によりあらかじめ取得しておく（ステップＳ１０４）。この電子チケット購入証明書格納部２３０の取得とは、現実空間における「チケットの購入」に相当し、その証明が、端末に依存しない購入証明書(パターンデータ)を生成する格納部を保持するということである。取得した電子チケット購入証明書格納部２３０として機能するアプリケーションに対して、パスワードまたは鍵(キー)、生体認証、位置情報、時間情報、音声情報などを入力することによりアプリケーションが利用可能となる。尚、初期登録のみ必要とし、以降は入力なく利用可能となるように設定してもよい。
【００５４】
図１０及び図１１は、電子チケット購入証明書格納部２３０で提供する購入証明書(パターンデータ)の一例を概念的に示す図である。図中のＤａｔａ及びＴｉｍｅは、携帯端末２００の内部タイミングを用いる。購入証明書(パターンデータ)識別子は、Ｄａｔａ情報やＴｉｍｅ情報に関係なく設定される。パターンデータ識別子は、チケット種別に応じた電子チケット購入証明書格納部２３０に関連して設定される。従って、Ｄａｔａが同一で、且つＴｉｍｅが同一であっても、チケットが異なればパターンデータ識別子は異なるため、別のパターンデータで認証が行われることはない。
【００５５】
アプリケーションが利用可能である場合、情報変換部２４０は、取得した購入証明書(パターンデータ)を用いて、受信した認証データを変換することにより、一意に決定される認証キー(パスワード)を生成する（ステップＳ１０５）。情報変換部２４０は、携帯端末の固有情報(ユーザ情報)に依存することなく下り信号を変換するので、認証キー（パスワード）には携帯端末を特定する情報が含まれない。
【００５６】
次に、携帯端末２００は、パスワード及びパターンデータを、情報送信部２５０から上り信号として送信する（ステップＳ１０６)。従って、通信接続設定情報を端末間でやり取りする必要がない。図１２は、情報端末向け送信データ（上り信号）のデータ構造を概念的に示す図である。送信データは、ヘッダ部と情報部で構成される。ヘッダ部は、認証を行うサービス・カテゴリーが識別可能な情報送信データ識別子と、情報端末１００の固有情報が識別可能な装置固有識別子を含む。情報部は、認証に使用するための認証データ識別子と、パスワード、パターンデータを含む。
【００５７】
一方、情報端末１００の情報受信部１１０は、上り信号（パスワード及びパターンデータ）を受信して（ステップＳ１０７）、メモリ１２０に格納する（ステップＳ１０８）。
【００５８】
情報端末１００の電子チケットパターン復号部１３０は、メモリ１２０から購入証明書(パターンデータ)情報を抽出してパターンを復元（復号化）する（ステップＳ１０９）。
【００５９】
次に、情報端末１００の情報変換部１４０は、情報提供部１５０で生成して送信した認証用の認証データと、電子チケットパターン復号部１３０で復元した購入証明書(パターンデータ)を読み出して、パターンデータを用いて認証データを変換することにより、パスワードを生成（復号）する（ステップＳ１１０）。受信したパスワードと、生成（復号）したパスワードとを照合することにより認証を行い（ステップＳ１１１）、一致すれば認証完了となる（ステップＳ１１２のＹｅｓ）。このように、携帯端末２００と情報端末１００は、１対１（ピアツーピア）の関係で認証を行う。例えば、図５に示した例では、認証完了によりゲート通過が可能になる。以上のように、携帯端末２００からの上り信号が片方向で済み、且つ個人情報を含まないため、携帯端末を特定することなく、端末間で認証を行うことができる。
【００６０】
ところで、認証情報として送受信する信号は、無線情報（無線により送受信できる情報）、光学情報、音声情報、またはこれらを複合した情報でもよい。光学情報の場合、携帯端末や情報端末の画面または表示・点灯機能などを送信手段、撮像手段などを受信手段として情報をやり取りすることができる。また、音声情報の場合、携帯端末や情報端末のスピーカなどの音声出力手段を送信手段、マイクなどの音声入力手段を受信手段として情報をやり取りすることが可能である。
【００６１】
尚、実施の形態１における認証システムのその他の利用方法としては、情報端末に対して、チケット情報や回数券情報などを認証させたり、支払や座席などを認証させたりするなどの方法がある。図１３は、情報端末と携帯端末による認証システムの応用例を模式的に示す図である。例えば、図１３に示すように、複数台の情報端末が存在するゲートなど(コンサート会場やシネマコンプレックスなど)では、情報端末と携帯端末間で送受信するデータのヘッダ情報である情報送信データ識別子により取得チケットのサービス・カテゴリー情報を判別し、装置固有識別子により各情報端末を識別する。識別には図１０や図１１で示した購入証明書(パターンデータ)を用いることにより、各ゲートと端末が取得したチケットに応じてゲート間で判断することができる。そのため、情報端末と携帯端末のチケット情報が異なると、認証できない。つまり、下り信号と上り信号を一組として考え、情報端末と携帯端末をこの組み合わせにより認証可否を判断することになる。情報端末側、携帯端末側で、それぞれランダムなパターンによりパスワード、購入証明書(パターンデータ)を持つことにより、ユーザの個人情報を用いることなく、パターン別による認証が行える。
【００６２】
ところで、携帯端末２００の電子チケット購入証明書格納部２３０が、チケットとして役割を果たすには有効期限(日付け・時間)を設ける必要がある。電子チケット購入証明書格納部２３０は、情報端末が送信した認証データ情報から購入証明書(パターンデータ)を生成するわけではなく、携帯端末２００内の電子チケット購入証明書格納部２３０が制御するタイミングで購入証明書(パターンデータ)生成を行う。そのため、ユーザが携帯端末内部の日付・時間等を改ざんして不正利用を行おうとする場合でも、情報端末１００が送信するパターンは日付・時間によって変化するため、パスワードの重複を避けることができる。つまり、購入証明書(パターンデータ)が同じでも、認証データが異なるので認証不可となる。
【００６３】
ところで、上記の実施の形態１の認証システムでは、使い捨てパスワードによるチャレンジ・レスポンス方式の認証が利用可能である。チャレンジ・レスポンス方式とは、情報端末１００が携帯端末２００にチャレンジ(Challenge)と呼ばれる毎回変わる値を送り、携帯端末２００でチャレンジと秘密(Secret)を組み合わせて演算した後、結果をレスポンス(Response、応答)として、情報端末１００に送る方式である。情報端末１００でも同一の演算を実行し、携帯端末２００からの結果と照合することによって、認証の可否が決定される。情報端末１００と携帯端末２００の間で、共有している秘密(Secret)そのものはやり取りされず、毎回変わるチャレンジに応じてレスポンスも変わるので、使い捨てパスワードとなる。
【００６４】
また、情報端末１００から携帯端末２００に対して、時間または（携帯端末を所持する）ユーザ毎に変化する認証情報を片方向送信することにより、携帯端末２００が受信した情報には、時間またはユーザ固有の情報として受信情報を利用することが可能である。携帯端末２００から情報端末１００に対して送信される情報は、携帯端末２００で取得した電子チケットに応じて電子チケット購入証明書格納部で生成するパターン毎に変化する情報を用いるため、携帯端末２００が情報端末１００に送信する購入証明書(パターンデータ)を用いることにより、端末間で通信設定を行うことなく認証することができる。
【００６５】
つまり、送信する情報が変化することに対して、端末単体の情報に依存することなく、端末毎に変化する情報を一意に設定させることで認証することが可能である。端末間で通信接続設定を行わずに、片方向送信で可能であると共に、送信情報には個人情報を含まないことが特徴である。
【００６６】
尚、上記説明では、情報端末と携帯端末の通信を想定した応用例について示したが、情報端末と携帯端末の関係に限定する必要はなく、携帯端末同士でもよい。また、認証回数は１回のみならず、複数回による認証でもよい。
【００６７】
［実施の形態２］
次に、本発明の実施の形態２における認証システムについて説明する。図１４は、本発明の実施の形態２における認証システムのシステム構成を示す図である。図１４に示すように、実施の形態２の認証システムは、携帯端末間で匿名認証を行うシステムとなっている。
【００６８】
携帯端末Ａ（認証端末）と携帯端末Ｂ（被認証端末）間で匿名認証を行うが、例えば、携帯端末Ａを、実施の形態１の認証システムを構成する情報端末１００の内部構成と同様にして、また携帯端末Ｂを、実施の形態１の認証システムを構成する携帯端末２００の内部構成と同様にして、実施の形態１における情報端末と携帯端末の関係を置換したもので実現することができる。または、実施の形態１の情報端末１００と携帯端末２００の両方の機能を兼備した携帯認証端末により実現することもできる。従って、携帯端末Ａ、携帯端末Ｂ、携帯認証端末の内部構成及びそれらの匿名認証動作については、実施の形態１と同じであるため詳細な説明を省略する。
【００６９】
実施の形態２における認証システムの応用例としては、携帯端末の中にチケット情報や回数券情報などを蓄え、ユーザ間で電子バリューを譲渡する状況などが想定される。
【産業上の利用可能性】
【００７０】
本発明は、被認証端末を特定することなく匿名認証が行えるという効果を有し、情報端末と携帯端末、携帯端末と携帯端末など、ピアツーピアの関係で認証を行う認証システム等に有用である。
【図面の簡単な説明】
【００７１】
【図１】本発明の実施の形態１における認証システムのシステム構成を示す図
【図２】本発明の実施の形態１における認証システムの、情報端末の内部構成を示すブロック図
【図３】本発明の実施の形態１における認証システムの、携帯端末の内部構成を示すブロック図
【図４】電子チケット購入証明書格納部の入手経路を説明するための図
【図５】本発明の実施の形態１における認証システムの適用例を模式的に示す図
【図６】本発明の実施の形態１における認証システムの匿名認証動作手順を示すフレームレート
【図７】携帯端末向け送信データのデータ構造を概念的に示す図
【図８】情報提供部が提供する認証データ識別子と認証データパターンの一例を概念的に示す図（＃０）
【図９】情報提供部が提供する認証データ識別子と認証データパターンの一例を概念的に示す図（＃１）
【図１０】電子チケット購入証明書格納部で提供する購入証明書の一例を概念的に示す図（チケットＡ）
【図１１】電子チケット購入証明書格納部で提供する購入証明書の一例を概念的に示す図（チケットＢ）
【図１２】情報端末向け送信データのデータ構造を概念的に示す図
【図１３】情報端末と携帯端末による認証システムの応用例を模式的に示す図
【図１４】本発明の実施の形態２における認証システムのシステム構成を示す図
【図１５】従来の無線通信認証システムの構成を示す模式図
【符号の説明】
【００７２】
１００  情報端末
１１０  情報受信部
１２０  メモリ
１３０  電子チケット購入証明書復号部
１４０  情報変換部
１５０  情報提供部
１６０  認証部
１７０  情報送信部
１８０  送信制御部
２００  携帯端末
２１０  情報受信部
２２０  メモリ
２３０  電子チケット購入証明書格納部
２４０  情報変換部
２５０  情報送信部
２６０  公衆電話網通信手段
２７０  情報送受信手段
２８０  メモリカード
２９０  認証部
３００  無線通信手段
４００  外部入力手段
５００  情報端末
５０１  画像表示部
５０２  認証部
６００  携帯端末
６２０  撮像素子
【図１】
0004815206.tif 000002
【図２】
0004815206.tif 000003
【図３】
0004815206.tif 000004
【図４】
0004815206.tif 000005
【図５】
0004815206.tif 000006
【図６】
0004815206.tif 000007
【図７】
0004815206.tif 000008
【図８】
0004815206.tif 000009
【図９】
0004815206.tif 000010
【図１０】
0004815206.tif 000011
【図１１】
0004815206.tif 000012
【図１２】
0004815206.tif 000013
【図１３】
0004815206.tif 000014
【図１４】
0004815206.tif 000015
【図１５】
0004815206.tif 000016